(57)【要約】【課題】堅い箱を生産するための包装ラインにカラーを供給する方法装置を提供する。【解決手段】ウェブ（２６）は、長手送り方向（２５）に第一切断ステーション（Ｓ５）を介して供給され、ウェブ（２６）は、第一切断ステーション（Ｓ５）において、分割ライン（１３，１４）の一部分（１５）に沿って部分的に切断され、第二切断ステーション（Ｓ３）において、各カラー（７）が、第一切断ステーション（Ｓ５）において切断されなかった分割ライン（１３，１４）の残りの部分（１６）に沿って切断することにより、ウェブ（２６）から切り離なされ、ウェブ（２６）から切り離なされたカラー（７）各々は包装ライン（１７）へ供給される。【選択図】図１
2006264335.tif 000002
【特許請求の範囲】
【請求項１】
堅い箱を生産するための包装ラインにカラーを供給する方法であって、カラー供給方法が：
長手送り方向（２５）に第一切断ステーション（Ｓ５）を介してウェブ（２６）を供給する段階と；
前記第一切断ステーション（Ｓ５）において、前記長手送り方向（２５）に対してほぼ横断している分割ライン（１３，１４）の一部分（１５）に沿って、前記ウェブ（２６）を部分的に切断する段階と；
前記ウェブ（２６）を、前記第一切断ステーション（Ｓ５）の下流側の第二切断ステーション（Ｓ３）を介して供給する段階と；
前記第二切断ステーション（Ｓ３）において、各カラー（７）を、前記第一切断ステーション（Ｓ５）において切断されなかった前記分割ライン（１３，１４）の残りの部分（１６）に沿って切断することにより、前記ウェブ（２６）から切り離なす段階と；
前記ウェブ（２６）から切り離なした前記カラー（７）各々を、前記包装ライン（１７）へ供給する段階と；
を含んでいるカラー供給方法。
【請求項２】
前記第一切断ステーション（Ｓ５）において、前記ウェブ（２６）が前記分割ライン（１３，１４）各々の中央部分（１５）に沿って切断され；前記第一切断ステーション（Ｓ５）において切断されなかった前記分割ライン（１３，１４）の残りの側面部分（１６）が、前記ウェブ（２６）からカラー（７）各々を切り離なすべく、前記第二切断ステーション（Ｓ３）において切断される；請求項１に記載のカラー供給方法。
【請求項３】
前記分割ライン（１３，１４）各々に対して、第一切断ステーション（Ｓ５）において切断された前記中央部分（１５）と、前記第二切断ステーション（Ｓ３）において切断された前記側面部分（１６）との間の境界区画（４６）において、第一切断ステーション（Ｓ５）の切断ライン（４７）が第二切断ステーション（Ｓ３）の切断ライン（４８）に対して傾斜していて、従って第二切断ステーション（Ｓ３）の切断ライン（４８）が第一切断ステーション（Ｓ５）の切断ライン（４７）と交差していて鈍角（４９）を形成するようになっている、請求項２に記載のカラー供給方法。
【請求項４】
前記ウェブ（２６）が巻かれているリール（４１）が、包装ライン（１７）を備えた包装機械（１）に取り付けられていて；ウェブ（２６）はリール（４１）から巻きもどされ、前記第一切断ステーション（Ｓ５）を備えている作業区画（４２）を介して供給され、そして前記第二切断ステーション（Ｓ３）へ供給される、請求項１−３のいずれか一項に記載のカラー供給方法。
【請求項５】
前記作業区画（４２）が折り目加工ステーション（Ｓ６）及び切り込み加工ステーション（Ｓ７）を備えていて；前記折り目加工ステーション（Ｓ６）において、前記ウェブ（２６）が二本の平行な長手折り曲げライン（１１）に沿って折り目加工されていて；前記切り込み加工ステーション（Ｓ７）において、前記ウェブ（２６）が前記長手折り曲げライン（１１）に沿って切断され横方向に突出する突起（８）を形成するようになっている、請求項４に記載のカラー供給方法。
【請求項６】
前記作業区画（４２）は、前記ウェブ（２６）の表面が印刷される印刷ステーション（Ｓ８）も備えている、請求項４又は５に記載のカラー供給方法。
【請求項７】
前記ウェブ（２６）が前記第一切断ステーション（Ｓ５）を介して供給され、続いてリール（４１）に巻かれていて；前記リール（４１）は、前記包装ライン（１７）を備えた包装機械（１）に取り付けられ、そして前記ウェブ（２６）が前記リール（４１）から巻きもどされ、前記第二切断ステーション（Ｓ３）へ供給されている、請求項１−３のいずれか一項に記載のカラー供給方法。
【請求項８】
前記リール（４１）と第二切断ステーション（Ｓ３）の間に、折り目加工ステーション（Ｓ６）及び切り込み加工ステーション（Ｓ７）とを備えた作業区画（４２）が提供されていて、前記折り目加工ステーション（Ｓ６）において、前記ウェブ（２６）が二本の平行な長手折り曲げライン（１１）に沿って折り目加工されていて；前記切り込み加工ステーション（Ｓ７）において、前記ウェブ（２６）が前記長手折り曲げライン（１１）に沿って切断され横方向に突出する突起（８）を形成するようになっている請求項７に記載のカラー供給方法。
【請求項９】
前記作業区画（４２）は、前記ウェブ（２６）の表面が印刷される印刷ステーション（Ｓ８）も備えている、請求項８に記載のカラー供給方法。
【請求項１０】
堅い箱を生産するための包装ラインにカラーを供給する供給ユニットであって；
各カラー（７）を横断分割ライン（１３，１４）に沿ってウェブ（２６）から切り離なす第二切断ステーション（Ｓ３）と；
長手送り方向（２５）に前記第二切断ステーション（Ｓ３）を介して前記ウェブ（２６）を供給するための移送装置（２４）と；
前記ウェブ（２６）から切り離なしたカラー（７）各々を前記包装ライン（１７）へ供給するためのトランスファ装置（２８）と；を具備する供給ユニットにおいて；
供給ユニットが、前記第二切断ステーション（Ｓ３）の上流側に配置された第一切断ステーション（Ｓ５）を具備していて、前記第一切断ステーション（Ｓ５）は前記ウェブ（２６）を前記移送装置（２４）から受け入れ、分割ライン（１３，１４）各々の一部分（１５）に沿って前記ウェブ（２６）を切断するようになっていて；各カラー（７）を前記ウェブ（２６）から切り離なすために、前記第二切断ステーション（Ｓ３）が、前記第一切断ステーション（Ｓ５）において切断されなかった前記分割ライン（１３，１４）の残りの部分（１６）を切断することを特徴とする；
供給ユニット。
【請求項１１】
前記第一切断ステーション（Ｓ５）において、前記ウェブ（２６）が前記分割ライン（１３，１４）各々の中央部分（１５）に沿って切断され；前記第一切断ステーション（Ｓ５）において切断されなかった前記分割ライン（１３，１４）の残りの側面部分（１６）が、前記ウェブ（２６）からカラー（７）各々を切り離なすべく、前記第二切断ステーション（Ｓ３）において切断される；請求項１０に記載のカラー供給ユニット。
【請求項１２】
前記分割ライン（１３，１４）各々に対して、第一切断ステーション（Ｓ５）において切断された前記中央部分（１５）と、前記第二切断ステーション（Ｓ３）において切断された前記側面部分（１６）との間の境界区画（４６）において、第一切断ステーション（Ｓ５）の切断ライン（４７）が第二切断ステーション（Ｓ３）の切断ライン（４８）に対して傾斜していて、従って第二切断ステーション（Ｓ３）の切断ライン（４８）が第一切断ステーション（Ｓ５）の切断ライン（４７）と交差していて鈍角（４９）を形成するようになっている、請求項１１に記載のカラー供給ユニット。
【請求項１３】
前記ウェブ（２６）をリール（４１）から巻きもどすための巻きもどし装置（４０）と；前記第二切断ステーション（Ｓ３）の上流側に設置され、そして前記第一切断ステーション（Ｓ５）を備えている作業区画（４２）と；を具備する請求項１０−１２のいずれか一項に記載のカラー供給ユニット。
【請求項１４】
前記作業区画（４２）が折り目加工ステーション（Ｓ６）及び切り込み加工ステーション（Ｓ７）を備えていて；前記折り目加工ステーション（Ｓ６）において、前記ウェブ（２６）が二本の平行な長手折り曲げライン（１１）に沿って折り目加工されていて；前記切り込み加工ステーション（Ｓ７）において、前記ウェブ（２６）が前記長手折り曲げライン（１１）に沿って切断され横方向に突出する突起（８）を形成するようになっている、請求項１３に記載のカラー供給ユニット。
【請求項１５】
前記作業区画（４２）は、前記ウェブ（２６）の表面が印刷される印刷ステーション（Ｓ８）も備えている、請求項１３又は１４に記載のカラー供給ユニット。
【請求項１６】
堅い箱（２）用の一連のカラー（７）により形成される包装材料のウェブであって；各カラー（７）が横断分割ライン（１３，１４）に沿って次のカラー（７）に続いていて、前記横断分割ライン（１３，１４）はカラー（７）の上部横断エッジ（１３）及び次のカラー（１）の下部横断エッジ（１４）に一致していて；そして包装材料のウェブ（２６）は、各々の分割ライン（１３，１４）の一部分（１５）が切断されることを特徴としている；包装材料のウェブ。
【請求項１７】
前記分割ライン（１３，１４）各々の中央部分（１５）が切断される、請求項１６に記載の包装材料のウェブ。
【発明の詳細な説明】
【技術分野】
【０００１】
本発明は、堅い箱を生産する包装ラインにカラーを供給するための供給ユニット及びその方法に関する。
【０００２】
本発明は、堅くてふた付きの紙巻きたばこの箱を生産する包装ラインに使用するのに特に利点があって、以下の説明は単に例示として記載したものである。
【背景技術】
【０００３】
堅くてふた付きの紙巻きたばこの箱が上端開口部を有しているカップ形状の容器と、カップ形状のふたとを備えていて、そのふたは容器に蝶番に沿って蝶番取り付けされており、容器に対して開口上端部を開く開位置と、閉じる閉位置との間で回転するようになっている。堅くてふた付きの紙巻きたばこの箱は、一般にフォイルシートに包装された紙巻きたばこの群周囲に単一の平坦でほぼ長方形状のブランクを折り曲げることにより生産されている。
【０００４】
平坦なブランクから切り離されたカラーは、容器の内部に備えられ、取り付けられＵ字形状に折り曲げられ、ふたが閉位置にある場合、カラーは上端開口部から外向きに一部が突出し、そして対応するふたの内表面に係合するようになっている。カラー７の機能は、ふた６を開く所定の力が作用するまでふた６を閉状態に維持することであって；その目的のために、カラー７は好ましくは二つの突起８を備えていて、その突起８は、ふた６が閉状態の場合に所定のインターフェースでふた６に係合するべく外向きに突出する。
【０００５】
紙巻きたばこの堅い箱を生産する包装機械はポケットコンベヤを備えた包装ラインを特徴としていることが公知であって、そのポケットコンベヤはカラー供給ステーションを介して事前に個々にフォイル包装で包装された紙巻きたばこの群を供給するものである。
【０００６】
カラーが切断装置により、供給ステーションに供給され、切断装置は、ボール紙のウェブを横断分割ラインに沿って横断的に切断することにより個々のカラーを分離している。ボール紙のウェブは、切断装置に達する以前に、長手折り曲げラインに沿って折り目加工され、そして外向きの突起を形成するべく切断される。通常の実施形態において、切断装置はウェブと同一平面を有しているアンビルと、カラーを切断するためにアンビルに対して往復可動なナイフとを備えている。トランスファホィールにおける吸引ヘッドは、ウェブから切断された各カラーを取り上げ、そしてカラーを包装ラインのポケットコンベヤにおけるそれぞれの紙巻きたばこの群に供給する。
【０００７】
特許文献１は、カラーを紙巻きたばこの堅い箱を生産する連続包装ラインへ供給するためのユニットを開示している。切断ステーションにおいて、連続ウェブはナイフにより一連のカラーに切断され、そのカラーはそれぞれのグリップ部材により連続的に取り上げられ、各カラーはナイフと共に振動され、ナイフとグリップ部材との間に切断されたばかりのカラーを把持するようになっている。
【０００８】
特許文献２は、堅くてふた付きの箱を生産する紙巻きたばこの包装機械へカラーを供給する方法につき開示している。包装機械の包装ラインにおける包装ホィールが、供給装置に取り付けられていて、供給装置により、カラーは包装ホィールに連続的に供給され、ホィールに用意されたそれぞれの紙巻きたばこの群の外表面に供給される。
【０００９】
特許文献３は、堅いふた付き箱を生産する紙巻きたばこの包装機械においてカラーを生産する方法を開示している。カラーは、ボール紙のウェブを直線通路に沿って供給し；ボール紙のウェブを長手方向に切断し；そして横断方向に切断しカラーをウェブから切り離なすことにより作られる。長手方向の切断は弾性的に支持された反対方向に回転するローラに協働する切断する切断ローラにより切断される。
【００１０】
前述の説明から分かるように、各カラーは横断分割ラインに沿って切断することによりウェブから切り離されていて、横断分割ラインはカラーの上部横断エッジと、次のカラーの下部横断エッジとを形成している。紙巻きたばこの箱が開かれた場合、カラーの上部横断エッジは、堅い紙巻きたばこの箱の最も目につく部分の一つであるので、分割線に沿った品質的にすぐれた切断が非常に重要なものとなる。
【００１１】
前述のカラーを包装ラインに供給する方法は、各カラーとウェブとの間の分割ラインを直線で切断する場合有効なものとなる。しかしながら、場合によって分割ラインの中央部分が複雑な折れ線形状の場合、前述の方法は低速で運転する場合のみすぐれた品質が得られる。
【特許文献１】欧州特許第１０１３５５号明細書
【特許文献２】米国特許第５１６３２６８号明細書
【特許文献３】独国特許第１５３６０２６号明細書
【発明の開示】
【発明が解決しようとする課題】
【００１２】
本発明の目的は、カラーを堅い箱を生産するための生産ラインに供給するための供給ユニットとその方法を提供するものであって、その装置と方法とは前述の欠点を克服し同時に安価で容易なものである。
【課題を解決するための手段】
【００１３】
前述の目的は、本発明の特許請求の範囲に記載されたカラーを堅い箱を生産する包装ラインに供給する方法と供給ユニットとにより達成されている。
【００１４】
本発明を限定するものではないが、添付図面を参照して実施形態を以下に説明する。
【発明を実施するための最良の形態】
【００１５】
図１において、符号１は紙巻きたばこの堅い箱２（その一つを図２に図示）を生産するための自動包装機械全体を表わしている。
【００１６】
図２に図示するように、各箱２は包装材料のフォイルシートに包装された紙巻きたばこの平行六面体形状の群３を含んでいて、包装材料のシートは引き裂く頂部を有している（詳細には図示していない）。各箱２がカップ状容器４及びカップ状ふた６を備えていて、カップ状容器４は紙巻きたばこの整列した群３を収納しており、そして開口上端部５を有していて；カップ状ふた６は容器４に取り付けられ、そして上端部５が開いている開位置（図２）と、閉じている閉位置（図示せず）との間で容器４に対して回転するようになっている。
【００１７】
Ｕ字形に曲げられたカラー７は各容器４の内側にのり付けされていて、ふた６が閉状態の場合、カラー７の一部は開口部上端５から外向きに突出し、ふた６の対応する内表面に係合する。カラー７の機能は、ふた６を開く所定の力が作用するまでふた６を閉状態に維持することであって；その目的のために、カラー７は好ましくは二つの突起８を備えていて、その突起８は、ふた６が閉状態の場合に所定のインターフェースでふた６に係合するべく外向きに突出する。
【００１８】
図３に図示するように、各カラー７が中央パネル９と二つの側面ウィング１０とを備えていて、二つの側面ウィング１０は中央パネル９両側に向き合って位置し、そしてそれぞれの長手折り曲げ線１１に沿って中央パネル９に接続している。長手折り曲げ線１１はカラー７の主寸法を横切って、かつカラー７の長手対称軸１２と平行に延伸している。カラー７が上部横断エッジ１３及び下部横断エッジ１４を有していて、両エッジ１３及び１４はお互いに平行であって、かつ長手対称軸１２を横切って延伸している。より詳しくは、上部横断エッジ１３が中央部分５と、中央部分１５に対してオフセットしている二つの側面部分１６とを有していて；側面部分１６は直線状であって、中央部分１５は複雑な折れ線形状である。
【００１９】
図１に図示するように、包装機械１が包装ライン１７（図１には一部を図示）を備えていて、ラインに沿って一連の紙巻きたばこの群３がフォイルシート包装材料に包装されている。続いて、カラー７がフォイルシート包装材料に包装された紙巻きたばこの群３各々の周囲にＵ字形に折り曲げられ；そしてブランク（図示せず）がフォイルシート包装材料に包装された紙巻きたばこの群３周囲とカラー７の上部とに折り曲げられ、容器４及びふた６が形成される。
【００２０】
図１が包装ホィール１８の一部を図示していて、包装ホィール１８は包装ライン１７の一部を形成していて、図１の紙面に対して垂直な中心回転軸１９周囲を回転し、そして多数のヘッド２０を有しており、ヘッド２０は包装ホィール１８の周囲に沿って等間隔に配置されている。各ヘッド２０は包装ホィール１８に蝶番留めされていて、包装ホィール１８に対してかつカム装置（図示せず）の制御により、回転軸１９の軸に平行な回転軸２１周囲で回転するようになっており；各ヘッド２０の自由端部がポケット２２を支持していて、そのポケット２２はフォイルシート包装材料に包装された紙巻きたばこの群３を受け入れステーションＳ１において受け入れ、そして送り出しステーションＳ２において送り出すためのものである。ポケット２２により運ばれた紙巻きたばこの群３にカラー７を連続的に供給するための供給ユニット２３は、受け入れステーションＳ１と送り出しステーションＳ２との間に設置されている。
【００２１】
供給ユニット２３は、ボール紙のウェブ２６をステップ状かつ垂直供給方向２５に切断ステーションＳ３へ移送するための移送装置２４を備えていて、切断ステーションＳ３において、切断装置２７がウェブ２６から一連のカラー７を形成するべくウェブ２６と係合していて、その一連のカラー７は供給方向２５に平行な長手対称軸１２に位置合わせされている。より詳しくは、切断ステーションＳ３における切断装置２７は、各カラー７を供給方向をほぼ横切って一つのカラー７の上部横断エッジ１３と続くカラー７の下部横断エッジ１４とを形成している分離ライン１３，１４に沿ってウェブ２６から切り離なす。供給ユニット２３がトランスファホィール２８も備えていて、そのトランスファホィール２８は固定サポート（図示せず）に取り付けられ、包装ホィール１８の回転軸に平行な回転軸２９周囲を回転するようになっている。
【００２２】
トランスファホィール２８が切断ステーション２７から各々のカラー７を個別に取り上げ、折り曲げステーションＳ４を介して供給し、折り曲げステーションＳ４においてカラー７の側面ウィング１０が中央パネル９に対して直角に折り曲げられ、続いてＵ字形に折り曲げたカラー７を包装ホィール１８のポケットにより移送された紙巻きたばこの群３に供給する。トランスファホィール２８が多数の吸引式グリップヘッド３０を有していて、そのグリップヘッド３０はトランスファホィール２８の周囲に沿って等間隔で配置され、外向きに延伸していて、それぞれのカラー７を切断ステーションＳ３から包装ホィール１８に転送するようになっている。各吸引式グリップヘッド３０がトランスファホィール２８に蝶番取り付けされていて、トランスファホィール２８に対してカム装置（図示せず）制御により回転軸２９に平行な回転軸３１周囲で回転するようになっている。
【００２３】
図５及び６に図示するように、切断装置２７がウェブ２６の供給方向２５に連続的に設置されたアンビル３２及び可動式切断部材３３とを備えている。アンビル３２が固定されていてそして面３４を有していて、その面３４はウェブ２６に接して位置決めされ、そして切断部材３３に対面している端部において切断エッジを有している。切断部材３３がプレート２５を備えていて、プレート２５はアンビル３２から供給方向２５の下流側に配置され、そしてそれぞれの振動軸３６周囲で回転するように取り付けられており、振動軸３６は回転軸２９に平行でかつ面３４と同一面にある。プレート３５が、トランスファホィール２８の周囲に対面している表面３８を有しているナイフ３７と一体に取り付けられている。表面３８は、アンビル３２に対面している自由端部において、アンビル３２の切断エッジに相補的な切断エッジを有していて；そして、ナイフ３７がアンビル３２に対してプレート３５と共に振動しウェブ２６からカラー７を振動軸３６周囲における完全な前後運動により切り離なす。
【００２４】
図１に図示するように、ウェブ２６を移送するための移送装置２４が、供給方向に連続的に設置された多数の対になった反対方向に回転するローラ３９を備えている。ローラ３９の各対が二つのローラ３９を備えていて、二つのローラ３９はウェブ２６の両側に設置されそしてウェブ２６をステップ状に供給方向に切断ステーションＳ３へ供給するべく回転するように取り付けられていて；各対のローラ３９において、一方のローラ３９が好ましくはアイドルプレッシャローラであって、他方のローラ３９は駆動ローラである。
【００２５】
供給ユニット２３がウェブ２６をリール４３から巻きもどすための巻きもどし装置４０と、作業区画４２を有していて；作業区画４２は切断ステーションＳ３の上流側に設置され、さらなる切断ステーションＳ５を備えており、切断ステーションＳ５は、間にウェブが供給される反対方向に回転する一対のローラ４３により形成されている。一方のローラ４３が多数のナイフ（図示せず）を備え、他方のローラ４３はナイフと協働してウェブ２６を切断する多数のアンビル（図示せず）を備えている。
【００２６】
好適な実施形態において、作業区画４２は、折り目加工ステーションＳ６及び切り込み加工ステーションＳ７を備えていて、折り目加工ステーションＳ６はウェブ２６に長手折り目を加工し二本の長手折り曲げライン１１を形成するようになっていて、切り込み加工ステーションＳ７において、ウェブ２６は長手折り曲げラインにおいて切断され横方向に突出する突起８が形成される。別の実施形態において、作業区画４２は、ウェブ２６の一方の表面が印刷される印刷ステーションＳ８も備えている。
【００２７】
作業区画４２と切断ステーションＳ３との間に較正装置４４が備えられていて、較正装置４４においてウェブ２６は可変長さループ４５を形成しており、ウェブ２６は、較正装置４４の下流側で（すなわち切断ステーションＳ３において）ステップ送りが可能になっていて、上流側で（すなわち作業区画４２において）定速送りが可能になっている。
【００２８】
前述した供給ユニット２３の運転について詳述する。
【００２９】
実際の使用にあたって、ウェブ２６がリール４１から巻もどされ、作業区画４２を介してほぼ等速度で供給される。図４は作業区画４２のすぐ下流側のウェブ２６の一部を図示している。二本の長手折り曲げライン１１が折り目加工ステーションＳ６において形成され；横方向に突出した突起８が切り込み加工ステーションＳ７において形成され；そしてウェブ２６が切断ステーションＳ５において各々の分割ライン１３，１４中央部分１５に沿って切断される。すなわち、ウェブ２６は切断ステーションＳ５において各々の分割ライン１３，１４に沿って一部分だけが切断され、従って切断ステーションＳ５の下流側で、お互いにカラー７がウェブ２６の形状に接続される。
【００３０】
切断ステーションＳ３において、切断装置２７が切断ステーションＳ３において切断されていない分割ライン１３，１４の残りの長手部分１６を切断し、各カラー７をウェブ２６から切り離なす。すなわち、切断ステーションＳ５は各分割ライン１３，１４を中央部分１５に沿って一部分を切断し、そして切断ステーションＳ３が切断ステーションＳ５において切断されていない分割ライン１３，１４の残りの長手部分に沿った切断を完了し、各カラー７がウェブ２６から切り離なされるようになっている。このことは、切断ステーションＳ３及びＳ５の切断部材を適切に形成することにより達成される。すなわち、切断ステーションＳ３の切断部材は分割ライン１３，１４の側面部分１６だけが形成され、切断ステーションＳ５の切断部材は分割ライン１３，１４の中央部分１５だけを切断するべく形成される。
【００３１】
カラー７をウェブ２６から切り離すために、移送装置２４がウェブ２６を切断ステーションＳ３へ一ステップ送り方向２５に送り、従ってカラー７に等しいウェブ２６の長さがアンビル３２の切断エッジを越えてナイフ３７の下方に突出し、ウェブ２６全体にわたって停止状態になっている。同時にトランスファホィール２８が吸引式グリップヘッド３０を切断ステーションＳ３に送り込むので、吸引式グリップヘッド３０はプレート３５に接触して位置し、カラー７をプレート３５に対して把持するようになっている。この時点で、プレート３５及び吸引式グリップヘッド３０が共にほぼ同一の運動で振動される。カラー７は、切断ステーションＳ５で切断されなかった分割ライン１３，１４の側面部分を切断することにより、ウェブ２６から切り離なされる。
【００３２】
図４における好適な実施形態において、切断ステーションＳ５において切断された中央部分１５と、切断ステーションＳ３において切断された側面部分１６との間の境界区画４６において、切断ステーションＳ５の切断ライン４７は切断ステーションＳ３の切断ライン４８に対して傾斜しているので、切断ステーションＳ３の切断線４８が切断ステーションＳ５の切断ライン４７と交差し、鈍角４９を形成するようになっている。このことは重要な特徴であって、切断ステーションＳ５の切断ライン４７の位置公差と切断ステーションＳ３の切断ライン４８の位置公差とが、カラー７の外観に損傷を与えることなく完全にリカバーできるようになっている。すなわち、切断ステーションＳ３の切断ライン４８の位置に対する切断ステーションＳ５の切断ライン４７の位置のいずれの変動もが二本の切断ライン４７と４８との交差点におけるわずかな変動をもたらすだけで、紙巻きたばこの箱２のユーザは気がつかない程度のものである。また、図３及び４のタイプにおける、カラー７の下部横断エッジ１４のいずれの欠陥も全体に影きょうしないものである。というのは紙巻きたばこの堅い箱２においてカラー７の横断エッジ１４に近い部分は完全に隠れてしまうからである。
【００３３】
図１における実施形態において、ウェブ２６が巻かれているリール４１が包装機械１に取り付けられていて；ウェブ２６がリール４１から巻きもどされ切断ステーションＳ５を備えている作業区画４２を介して供給され、そして切断ステーションＳ３へ供給される。別の実施形態（図示せず）において、ウェブ２６は切断ステーションＳ５を介して供給され、続いてリール４１に巻かれる；続いてリール４１は包装機械１に取りつけられウェブ２６がリール４１から巻きもどされ、切断ステーションＳ３へ供給される。すなわち、切断ステーションＳ５は包装機械１に取り付けられてもよいし、取り付けられなくてもよい。
【００３４】
前述したように、供給ユニット２３は、高速運転においても、そして各カラー７とウェブ２６との間の分割ラインが直線で複雑な折れ線に関係なく、非常に効率的で効果的である。特に、複雑な折れ線分割ライン１３，１４の場合であっても、高品質のウェブ４６の切断が常時達成される。このことは、各分割線１３，１４に沿ったウェブ２６の切断を二つの連続工程、従って二つの連続する切断ステーションＳ３，Ｓ５に分割したことによるものである。切断ステーションＳ５において、ウェブ２６は各分割ライン１３，１４の中央部分１５に沿って部分的に単純に切断するだけで、切断したカラー７を把持する必要もなくカラー７はウェブ２６に残されている。切断ステーションＳ３において、分割ライン１３，１４の側面部分１６が切断されるだけなので、各カラー７は中間部分を直接的に把持することができ、従ってカラー７の位置を事前に保証することにより切断操作を簡単なものにすることができる。
【００３５】
多くの利点があることから、前述した供給ユニット２３は、紙巻きたばこのカートン、又は紙巻きたばこ箱又は菓子箱のようなカラーを特徴とするいずれのタイプの堅い箱の生産ラインに使用することができる。
【図面の簡単な説明】
【００３６】
【図１】図１は、本発明によるカラー供給ユニットを特徴としている包装機械の一部の概略正面図である。
【図２】図２は、図１における包装機械により生産された紙巻きたばこの堅い箱の前から見た斜視図である。
【図３】図３は、図２における紙巻きたばこの箱の折り曲げていないカラーの平面図である。
【図４】図４は、図３におけるカラーが取り外されるウェブの部分図である。
【図５】図５は、図１における供給ユニットの切断装置一連の運転状態の一つを図示している。
【図６】図６は、図１における供給ユニットの切断装置一連の運転状態の一つを図示している。
【符号の説明】
【００３７】
７    カラー
２６    ウェブ
Ｓ３    第二切断ステーション
Ｓ５    第一切断ステーション
Ｓ６    折り目加工ステーション
Ｓ７    切り込み加工ステーション
Ｓ８    印刷ステーション
【図１】
2006264335.tif 000003
【図２】
2006264335.tif 000004
【図３】
2006264335.tif 000005
【図４】
2006264335.tif 000006
【図５】
2006264335.tif 000007
【図６】
2006264335.tif 000008
【外国語明細書】
2006264335000001.pdf